(57)【要約】【課題】飲料の摂取途中において飲料容器を倒したりしても、飲料が流れでるのを防止できる飲料供給弁構造体および該飲料容器弁構造体を備えた飲料容器を得る。【解決手段】一端に開口部３を有する飲料容器本体５の開口部側に取り付けられる飲料供給弁構造体１１であって、吸い口２７と、飲料容器本体内に空気を供給する通気孔４５、５７と、吸い口２７と飲料容器本体５との間に設けられて吸い口２７から吸飲されたときに飲料を吸い口側に供給し、吸飲されないときには吸い口２７への飲料の供給を停止する第１の弁構造体３１と、吸い口２７から吸飲されたときに通気孔４５、５７を開放し、吸飲されないときには通気孔４５、５７を閉止する第２の弁構造体３１、７３を備えてなる。【選択図】  図１
2007176497.tif 000002
【特許請求の範囲】
【請求項１】
一端に開口部を有する飲料容器本体の前記開口部側に取り付けられる飲料供給弁構造体であって、
吸い口と、前記飲料容器本体側に空気を供給する通気孔と、前記吸い口の前記飲料容器本体側に設けられて前記吸い口から吸飲されたときに飲料を吸い口出口側に供給する通路を開放し、吸飲されないときには前記吸い口出口側へ飲料を供給する通路を閉止する第１の弁構造体と、吸い口から吸飲されたときに前記通気孔を開放し、吸飲されないときには前記通気孔を閉止する第２の弁構造体を備えてなることを特徴とする飲料供給弁構造体。
【請求項２】
第１の弁構造体は、吸い口の一端に取り付けられて飲料の通路を有する弁座と、該弁座に設けられて前記通路を開閉する弁体とを備えてなることを特徴とする請求項１に記載の飲料供給弁構造体。
【請求項３】
第２の弁構造体は弁体に一体的に形成されていることを特徴とする請求項２に記載の飲料供給弁構造体。
【請求項４】
吸い口は可撓性を有する部材からなり、剛性の弁座を吸い口に取り付けたときに吸い口下部が弁座に当接し、吸い口の変形を規制するように構成されていることを特徴とする請求項２または３に記載の飲料供給弁構造体。
【請求項５】
弁座は、板状体と、該板状体の中央部から飲料容器本体側へ延出して先端に膨出部を有する棒状体とを有し、棒状体は軸線に沿う方向に吸い口出口側への通路となる溝部が形成されており、弁体は棒状体に貫入する穴を備えた可撓性を有する板状体からなり、吸飲しない状態では弁体は前記膨出部に当接して吸い口出口側への飲料の通路を閉止し、吸飲時には弁体が膨出部から離れることで、前記溝部への通路を開放するようになっていることを特徴とする請求項２〜４のいずれか一項に記載の飲料供給弁構造体。
【請求項６】
弁体の穴の周囲に弁座の板状体側に突出する突出部が形成され、吸飲時に弁体が膨出部から離れたときに弁体が反転するのを防止できるようになっていることを特徴とする請求項５に記載の飲料供給弁構造体。
【請求項７】
吸い口は飲料容器本体の開口部側に偏心した位置に設けられ、通気孔は吸い口が設けられた位置から円周方向９０度以上離れた位置に設けられていることを特徴とする請求項１〜６の何れか一項に記載の飲料供給弁構造体。
【請求項８】
請求項１〜７の何れかに記載の飲料供給弁構造体を有することを特徴とする飲料容器。
【発明の詳細な説明】
【技術分野】
【０００１】
本発明は、飲料容器本体の開口部に設けられて吸飲時に飲料を供給する飲料供給弁構造体および該飲料供給弁構造体を有する飲料容器に関する。
【背景技術】
【０００２】
乳幼児がミルクなどの飲料を摂取するための飲料容器として、例えば液体飲料が収容される容器本体と、前記容器本体の上部に対して着脱される蓋部材とを有し、この蓋部材にストローを貫通させて設置するものが知られている（例えば、特許文献１参照）。
この特許文献１に記載の飲料容器においては、ストローを挿通させた状態でストローからの液体の漏れを防止するためにキャップを設けている。
【特許文献１】特許第３１８３６４４号公報
【発明の開示】
【発明が解決しようとする課題】
【０００３】
特許文献１のものにおいては、ストローからの飲料の摂取であり、飲料の摂取を終了したときは、ストローの上端開口をキャップで覆うことによって飲料がストローから出るのを防止している。したがって、乳幼児が飲料摂取を終了したときにはストローにキャップを被せなければ、容器を倒したりした場合にはストローから飲料が流れ出ることになる。
しかしながら、乳幼児が飲料を摂取している途中において、飲料容器を手放して倒したりすることが容易に考えられる。その場合において、飲料がストローから流れ出てしまうという問題がある。
【０００４】
本発明はかかる課題を解決するためになされたものであり、飲料の摂取途中において飲料容器を倒したりしても、飲料が流れでることのない飲料供給弁構造体および該飲料容器弁構造体を備えた飲料容器を得ることを目的としている。
【課題を解決するための手段】
【０００５】
（１）本発明に係る飲料供給弁構造体は、一端に開口部を有する飲料容器本体の前記開口部側に取り付けられる飲料供給弁構造体であって、
吸い口と、前記飲料容器本体側に空気を供給する通気孔と、前記吸い口の前記飲料容器本体側に設けられて前記吸い口から吸飲されたときに飲料を吸い口出口側に供給する通路を開放し、吸飲されないときには前記吸い口出口側へ飲料を供給する通路を閉止する第１の弁構造体と、吸い口から吸飲されたときに前記通気孔を開放し、吸飲されないときには前記通気孔を閉止する第２の弁構造体を備えてなることを特徴とするものである。
【０００６】
（２）また、上記（１）に記載のものにおいて、第１の弁構造体は、吸い口の一端に取り付けられて飲料の通路を有する弁座と、該弁座に設けられて前記通路を開閉する弁体とを備えてなることを特徴とするものである。
【０００７】
（３）また、上記（２）に記載のものにおいて、第２の弁構造体は弁体に一体的に形成されていることを特徴とするものである。
【０００８】
（４）また、上記（２）または（３）に記載のものにおいて、吸い口は可撓性を有する部材からなり、剛性の弁座を吸い口に取り付けたときに吸い口下部が弁座に当接し、吸い口の変形を規制するように構成されていることを特徴とするものである。
【０００９】
（５）また、上記（２）〜（４）に記載のものにおいて、弁座は、板状体と、該板状体の中央部から飲料容器本体側へ延出して先端に膨出部を有する棒状体とを有し、棒状体は軸線に沿う方向に吸い口出口側への通路となる溝部が形成されており、弁体は棒状体に貫入する穴を備えた可撓性を有する板状体からなり、吸飲しない状態では弁体は前記膨出部に当接して吸い口出口側への飲料の通路を閉止し、吸飲時には弁体が膨出部から離れることで、前記溝部への通路を開放するようになっていることを特徴とするものである。
【００１０】
（６）また、上記（５）に記載のものにおいて、弁体の穴の周囲に弁座の板状体側に突出する突出部が形成され、吸飲時に弁体が膨出部から離れたときに弁体が反転するのを防止できるようになっていることを特徴とするものである。
【００１１】
（７）また、上記（１）〜（６）のいずれかに記載のものにおいて、吸い口は飲料容器本体の開口部側に偏心した位置に設けられ、通気孔は吸い口が設けられた位置から円周方向９０度以上離れた位置に設けられていることを特徴とするものである。
【００１２】
（８）本発明に係る飲料容器は、上記（１）〜（７）の何れかに記載の飲料供給弁構造体を有することを特徴とするものである。
【発明の効果】
【００１３】
本発明の飲料供給弁構造体は、吸い口と、前記飲料容器本体側に空気を供給する通気孔と、前記吸い口の前記飲料容器本体側に設けられて前記吸い口から吸飲されたときに飲料を吸い口出口側に供給する通路を開放し、吸飲されないときには前記吸い口出口側へ飲料を供給する通路を閉止する第１の弁構造体と、吸い口から吸飲されたときに前記通気孔を開放し、吸飲されないときには前記通気孔を閉止する第２の弁構造体を備えてなるので、吸い口から吸飲されるときに飲料容器本体の飲料が吸い口側に供給されると共に飲料容器本体側に空気が供給されるので、連続したスムーズな吸飲ができる。しかも、吸飲しないときには飲料容器本体側の飲料が吸い口側に流れないので、容器を倒しても吸い口から飲料容器本体側の飲料が流れ出すことがない。
【発明を実施するための最良の形態】
【００１４】
図１は本発明の一実施の形態に係る飲料容器の断面図である。図２は正面図、図３は平面図である。以下、図１〜図３に基づいて本実施の形態に係る飲料容器を説明する。なお、本明細書において「上」「下」とは図１に示すように飲料容器を載置した状態を基準にして上方をさす場合を「上」といい、下方をさす場合を「下」という。
【００１５】
本実施の形態に係る飲料容器１は、上端に開口部３を有する容器本体５と、該容器本体５の開口部３に形成したネジ部７に螺合させて取り付けられる蓋部材９、蓋部材９に後述の飲料供給弁構造体１１を取り付ける取付部材１３、取付部材１３に取り付けられる飲料供給弁構造体１１、飲料供給弁構造体１１を覆うカバー体１５を備えている。
以下、各構成を詳細に説明する。
【００１６】
＜容器本体＞
容器本体５は、例えば透明なプラスチックなどで円筒形に形成され、上端部が開口している。容器本体５の上端部の外周にはネジ部７が形成されている。容器本体５の側面の両側には円弧状の持ち手１６が設けられている。
【００１７】
＜蓋部材＞
蓋部材９は上下が開口した筒体からなり、下端側の内面に容器本体５のネジ部７に螺合するネジ部１７を有し、上端側が縮径した筒体になっている。縮径した部位の外周には取付部材１３が螺合するネジ部１９が形成されている。
蓋部材９は図１〜図３に示されるように、容器本体５の上端部に取り付けられる。
【００１８】
＜取付部材＞
取付部材１３は飲料供給弁構造体１１を蓋部材９に取り付けるための部材である。取付部材１３は上下が開口した筒状であり、下端側の内周面には蓋部材９の上側のネジ部１９に螺合するネジ部２１が形成されている。上端側は内方に湾曲しており、後述する吸い口２７の座部３３を蓋部材９の上端側に押圧するための押え部２３が形成され、押え部２３の内側に開口部２５が形成されている。この開口部２５に吸い口２７が内側から挿入されて取り付けられる。
【００１９】
＜飲料供給弁構造体＞
飲料供給弁構造体１１は、取付部材１３によって蓋部材９に取り付けられて、容器本体内の飲料の吸飲者への供給を制御するものである。
飲料供給弁構造体１１は、吸飲者が口にくわえて飲料を吸いだす吸い口２７と、吸い口２７の下端部に取り付けられる弁座２９と、弁座２９に取り付けられる弁体３１とを備えてなる。以下、飲料供給弁構造体１１を構成する各構成部材について詳細に説明する。
【００２０】
(i)吸い口
図４は吸い口２７の断面図である。以下、図１〜図４に基づいて吸い口２７を詳細に説明する。吸い口２７は、図４に示すように、円板状の座部３３と座部３３の上面側に座部３３に連続して形成された吸い口部３５からなる。座部３３の下面中央部には下方に向けて盛り上る盛上り部３７が形成されている。
座部３３はその外周部から下方に延出するリング状壁３９を有し、さらにリング状壁３９の下端から外方に張り出す鍔部４１と鍔部４１の下面中程から全周に亘って下方に垂下するリング状垂下部４３とを備えている。
鍔部４１におけるリング状垂下部４３より内側の位置に空気を容器本体５に導入するための通気孔４５が設けられている。通気孔４５は鍔部４１を貫通する貫通孔４５ａと貫通孔４５ａに連続して鍔部４１の上面に形成されて鍔部４１の外周縁まで延びる溝部４５ｂとから構成されている。
また、リング状垂下部４３の基部には、弁座２９を取り付けるためのリング状の溝部４７が形成されている。
【００２１】
吸い口２７は可撓性を有するシリコーン製からなる。吸い口部３５は、座部３３の上面における通気孔４５と反対方向に片側に寄った位置に設けられ、扁平した長丸筒状からなる。吸い口部３５の先端には飲料が吸い出されるための孔４９が３個設けられている。
【００２２】
吸い口２７は吸い口部３５を取付部材１３の開口部２５に内側から挿入して吸い口部３５を取付部材１３の上方に延出させた状態で、鍔部４１におけるリング状垂下部４３の外側を蓋部材９の上端に当接させ、鍔部全体を上方から取付部材１３の押え部２３で押えるようにして取り付けられている。
【００２３】
(ii) 弁座
図５は弁座２９の正面図、図６は弁座２９の平面図、図７は弁座２９の底面図、図８は弁座２９の一部断面図である。以下、図１、図５〜図８に基づいて弁座２９の詳細を説明する。
弁座２９は剛性を有する部材によって形成され、底部５１及び枠部５３からなる全体形状が円形の有底枠体からなり、底部５１は枠部５３から外方に突出する鍔部５５を有している。鍔部５５には通気孔５７が設けられており、通気孔５７を形成した部位を含んで全円周に亘って溝部５８が形成されている。
底部下面中央には下方に垂下する平断面十字状の垂下部５９が形成され、垂下部５９の下端には逆三角形の膨出部６１が形成されている。膨出部６１の上面部６１ａは平面になっている。
底部５１の上面（内面）中央部には、図８に示すように、上方に向って盛り上る盛上り部６３が形成されている。
底部５１における盛上り部６３の周囲には飲料が通過するための３つの開口部６５が設けられている。
【００２４】
以上のように形成された弁座２９は、図１に示すように、その鍔部５５が吸い口２７の座部３３におけるリング状垂下部４３に形成されたリング状の溝部４７に嵌入することで吸い口２７の下部に取り付けられている。この取り付け状態では、吸い口２７の盛上り部３７と弁座３３の盛上り部６３とが当接しており、これによって吸い口２７の変形が規制される。
また、通気孔５７を形成した部位を含んで全円周に亘って溝部５８を形成しているので、弁座２９の通気孔５７と吸い口２７の通気孔４５の相対位置がどのような関係にあっても溝部５８を介して両通気孔が連通できる。
【００２５】
(iii)弁体
図９は弁体３１の正面図、図１０は弁体３１の平面図、図１１は弁体３１の断面図である。以下、図１、図９、図１０に基づいて弁体３１の詳細を説明する。
弁体３１は可撓性を有する肉厚のシリコーン製であり、扁平なロート形状をしている。弁体３１の高さは、弁座２９の垂下部５９における軸部の長さ（底部５１から膨出部６１の上面部６１ａまでの長さ）底面から膨出部上面までの長さよりも若干だけ高くなるように設定されている。
弁体３１の中央部には弁座の垂下部５９の外径に略等しい径の穴６７が設けられている。穴６７の内周縁には上方に突出する突出部６９が形成されている。弁体３１の上端部には平面部７１が形成されている。弁体３１の外周部における上端部より少しだけ下方の位置には外方に向って延出して途中から上方に屈曲して先端が平面部７１よりも少し上方まで延出する肉薄のリング状壁７３が形成されている。したがって、弁体３１の外周部とリング状壁７３によって弁体外周部にリング状溝部７５が形成されている。
【００２６】
上記のように形成された弁体３１は、図１に示すように、穴６７を弁座２９の垂下部５９に挿入することで弁座２９に取り付けられている。弁体３１の穴６７に弁座２９の垂下部５９を挿入した状態では、穴６７の周縁部が垂下部５９の膨出部６１の上面に当接し、弁体３１の上端の平面部７１が弁座２９の底部下面に当接している。このとき、垂下部５９における底面から膨出部６１の上面部６１ａまでの長さが弁体３１の通常状態における高さよりも短く設定されているので、弁体３１を弁座に取り付けた状態では、弁体３１の弾性によって弁体３１の穴周縁部が弁座２９の膨出部上面に押し付けられ、また弁体３１の上端は弁座２９の底部下面に押し付けられている。
さらに、リング状壁７３の上端も弁座２９の底部下面に押し付けられている。このとき、弁座２９の鍔部５５に形成された通気孔５７はリング状壁７３の内側、すなわちリング状溝部７５の上方に位置している。穴６７の径が垂下部５９の外径と略同一に形成されているので、弁体３１と弁座２９との相対位置がずれず、常に通気孔５７がリング状溝部７５の上方に位置することができる。
【００２７】
＜カバー体＞
カバー体１５は、図１に示すように、下端が開口したキャプ形をして、取付部材１３を外方から覆うようにして吸い口全体をカバーするように取り付けられる。カバー体１５の下端縁が取付部材１３の下端に係合することでカバー体１５は保持されている。
【００２８】
次に上記のように構成された本実施の形態の動作について説明する。図１２、図１３は動作説明図であり、図１２が吸飲前の状態を示し、図１３が吸飲時の弁体の状態を破線で付加して示している。
吸飲前の状態では、図１２に示すように、弁体３１の穴周縁部が膨出部６１の上面部６１ａに当接し、飲料が弁座側に行くのが阻止されている。したがって、この状態では容器本体側の飲料が吸い口側に行かないので、例えば乳幼児が吸飲の途中であきて飲料容器を手放して倒したとしても飲料が垂れ流しになるようなことはない。
また、弁座２９に設けられた通気孔４５はリング状壁７３で覆われており、ここから容器本体側の飲料が漏れることもない。
【００２９】
次に、吸い口２７から吸飲がなされると、吸い口側が負圧になり、吸い口側と容器本体側との間に差圧が生じるので、これによって弁体３１の中央部が、図１３の破線で示すように上動する。弁体３１の中央部が上動すると、弁体３１と膨出部６１の上面部６１ａとの間に隙間が生じ、飲料がこの隙間および垂下部５９の十字の隙間を通り、弁座２９の開口部６５を通過して吸い口側に移動する。吸い口側に移動した飲料は孔９９を介して吸飲される。
【００３０】
吸い口２７から吸飲がされることで、吸い口側と容器本体側とが連通するので、容器本体側が負圧になる。仮に、この状態のままだと、容器本体側と吸い口側とが同圧になり、弁体３１が吸飲前の状態に戻り、連続した吸飲が出来ないことになる。
しかしながら、本実施の形態のものでは、吸飲が行われると、弁体３１の中央部の上動と共に弁体３１の外周部に形成されたリング状壁７３の上端が弁座２９の底部下面から離れる動きをし、これによって、通気孔５７が開放される。通気孔５７が開放されると、空気が容器本体側に導入され、容器本体側の負圧が解消されるので、連続した吸飲が可能となる。
このように、弁体３１の中央部と周縁部の両方の弁構造が協働することで、スムーズな吸飲を実現している。
しかも、弁体３１という単体によって２つの弁構造を実現しており、構造が単純である。
【００３１】
吸飲時に通気孔５７が開放することになるが、通気孔５７は吸い口部３５とは反対側に設けられているので、吸い口部３５を下側にして吸飲がなされると通気孔５７は上側に位置し、飲料が通気孔から漏れることはない。
また、通気孔５７は弁体３１に形成されたリング状溝部７５の位置にあることから、リング状壁７３と弁体３１との円周上のどこかの部分で隙間が生じれば、容器本体側と通気孔とは連通する。この点を具体的に説明する。例えば、飲料の両が半分くらいの状態での吸飲を想定すると、この場合、容器本体を水平に向けて吸飲がなされるのが通常である。このとき飲料が弁体３１の下半分の部分にあり、弁体３１の中央部の下半分が上動すると共に同じく下半分側のリング状壁７３の上端が弁座２９の底部下面から離れる動きをする。このような場合であっても、通気孔５７とリング状壁７３の上端が離れた部位とはリング状溝７５を介して連通し、空気が容器本体側に導入されるのである。
【００３２】
以上のように、本実施の形態においては、容器本体５の開口部３に飲料供給弁構造体１１を設け、飲料供給弁構造体１１の吸い口２７から吸飲されるときに容器本体５の飲料が吸い口２７側に供給されると共に容器本体５側に空気が供給されるようにしたので、連続したスムーズな吸飲ができる。しかも、吸飲しないときには容器本体５側の飲料が吸い口２７側に流れないようにしているので、容器を倒しても吸い口２７から容器本体側の飲料が流れ出すことがない。
また、本実施の形態では、弁体３１の中央部で飲料の通過を制御し、弁体３１の外周部のリング状壁７３で通気孔５７の開閉を制御しており、一つの部材で本発明の第１、第２の弁構造体を実現していることから、全体の構成を単純化できる。
【００３３】
なお、上記の実施の形態における吸い口２７においては、通気孔４５の位置を吸い口部３５が設けられた位置の円周方向反対側、すなわち１８０度の位置に設けた例を示したが、本発明はこれに限られるものではなく、通気孔４５の位置と吸い口部３５の位置を周方向で９０度以上離せば、飲料の量にもよるが通常は吸飲時の飲料の漏れを防止する効果を十分得ることができる。
【図面の簡単な説明】
【００３４】
【図１】本発明の一実施の形態に係る飲料容器の断面図である。
【図２】本発明の一実施の形態に係る飲料容器の正面図である。
【図３】本発明の一実施の形態に係る飲料容器の平明図である。
【図４】本発明の一実施の形態に係る吸い口の断面図である。
【図５】本発明の一実施の形態に係る弁座の正面図である。
【図６】本発明の一実施の形態に係る弁座の平面図である。
【図７】本発明の一実施の形態に係る弁座の底面図である。
【図８】本発明の一実施の形態に係る弁座の一部断面図である。
【図９】本発明の一実施の形態に係る弁体の正面図である。
【図１０】本発明の一実施の形態に係る弁体の平面図である。
【図１１】本発明の一実施の形態に係る弁体の断面図である。
【図１２】本発明の一実施の形態に係る飲料供給弁構造体の動作説明図である。
【図１３】本発明の一実施の形態に係る飲料供給弁構造体の動作説明図である。
【符号の説明】
【００３５】
１  飲料容器、５  容器本体、９  蓋部材、１１  飲料供給弁構造体、２７  吸い口、２９  弁座、３１  弁体、３３  座部、３５  吸い口部、４５  通気孔、５１  底部、５５  鍔部、５７  通気孔、６７  穴、７３  リング状壁、７５  リング状溝部。
【図１】
2007176497.tif 000003
【図２】
2007176497.tif 000004
【図３】
2007176497.tif 000005
【図４】
2007176497.tif 000006
【図５】
2007176497.tif 000007
【図６】
2007176497.tif 000008
【図７】
2007176497.tif 000009
【図８】
2007176497.tif 000010
【図９】
2007176497.tif 000011
【図１０】
2007176497.tif 000012
【図１１】
2007176497.tif 000013
【図１２】
2007176497.tif 000014
【図１３】
2007176497.tif 000015